(57)【要約】      （修正有）【課題】マシンヘッドが３６０度変形して死角なく掃除が可能な電動トイレブラシを提供する。【解決手段】電動トイレブラシは、マシンヘッドが取付ハウジング６と、モータブラケット７と、モータ８と、遊星減速ギヤボックスと、軸受け１０とを備え、取付ハウジングがラッパ状の中空ケーシングであり、小開口端が変形連結部に連結され、大開口端の開口部にモータブラケットが取り付けられ、モータブラケットの取付ハウジングに対向する一側にモータが設けられ、他方側にモータに連結される遊星減速ギヤボックスが設けられ、ブラシヘッド５が脱着可能に軸受けの外部に係止され、遊星減速ギヤボックスがブラシヘッドに包まれる。延長棒２とマシンヘッドとの間に変形部材３．１が取り付けられ、使用時にマシンヘッドが３６０度変形する。【選択図】図１
0003227123.tif 000002
【実用新案登録請求の範囲】
【請求項１】
順に連結される取手と、延長棒と、変形連結部と、マシンヘッドと、ブラシヘッドとを備える電動トイレブラシであって、前記マシンヘッドが取付ハウジングと、モータブラケットと、モータと、遊星減速ギヤボックスと、軸受けとを備え、前記取付ハウジングがラッパ状の中空ケーシングであり、その小開口端が変形連結部に連結され、その大開口端の開口部にモータブラケットが取り付けられており、前記モータブラケットにおける取付ハウジングに対向する一側にモータが設けられており、他方側にモータに連結される遊星減速ギヤボックスが設けられており、前記モータブラケットにおける取付ハウジングに連結される一端に防水オーリングが設けられており、他端がマシンヘッドの外側に位置し軸受けが連結されており、前記ブラシヘッドが脱着可能に軸受けの外部に係止され、遊星減速ギヤボックスがブラシヘッドに包まれていることを特徴とする、電動トイレブラシ。
【請求項２】
前記遊星減速ギヤボックスの出力端がブラシヘッド連結部材に連結され、前記ブラシヘッド連結部材がブラシヘッドに挿入されブラシヘッドに連結されることを特徴とする、請求項１に記載の電動トイレブラシ。
【請求項３】
前記遊星減速ギヤボックスが、減速ギヤボックスのハウジング、及び減速ギヤボックスのハウジング内に設けられる第２の遊星ギア、第２の遊星枠、遊星枠固定部材、第１の遊星ギア、第１の遊星枠、出力軸を備え、前記出力軸が減速ギヤボックスのハウジングを挿通しブラシヘッド連結部材に連結されることを特徴とする、請求項２に記載の電動トイレブラシ。
【請求項４】
前記第２の遊星ギアが第２の遊星枠、遊星固定枠を介して第１の遊星ギアと噛み合い、前記第１の遊星ギアが第１の遊星枠を介して出力軸と伝動連結され、前記第１の遊星ギア、第２の遊星ギアが何れも３つの互いに噛み合うギアであり、かつ何れもギア取付軸を介して、それぞれ第１の遊星枠、第２の遊星枠に嵌合し取り付けられ、第２の遊星枠の下部に第１の遊星ギアと噛み合い伝動する伝動ギア軸が設けられており、遊星枠固定部材の下部に第１の遊星ギアに嵌合されるギア取付部材が設けられていることを特徴とする、請求項３に記載の電動トイレブラシ。
【請求項５】
前記モータブラケットが、遊星減速ギヤボックスの外部に嵌設されるサポートリングと、取付ハウジングの大端側の開口部に取り付けられるサポート板とを備え、前記サポートリングが貫通してサポート板の中部に設けられ、前記軸受けがサポートリングの外壁に設けられ、前記サポート板の外縁にブラシヘッドに照射できる複数のＵＶ殺菌灯が設けられていることを特徴とする、請求項１に記載の電動トイレブラシ。
【請求項６】
前記変形連結部が、連結延長棒と、マシンヘッドの変形部材と、変形部材の外部に設けられる軟質ゴムカバーとを備えることを特徴とする、請求項１に記載の電動トイレブラシ。
【請求項７】
前記軟質ゴムカバーの両端に延長カバーが設けられており、前記延長カバーが、それぞれ延長棒、マシンヘッドの端部内に包まれることを特徴とする、請求項６に記載の電動トイレブラシ。
【請求項８】
前記延長棒が伸縮棒又は固定直棒であり、前記取手の外部に電源ボタンが設けられており、内部にリチウム電池が設けられており、前記リチウム電池がモータ、ＵＶ殺菌灯、電源ボタンと回路を構成することを特徴とする、請求項１に記載の電動トイレブラシ。
【考案の詳細な説明】
【技術分野】
【０００１】
本考案は、生活用品の技術分野に関し、詳しくは電動トイレブラシに関する。
【背景技術】
【０００２】
トイレブラシは掃除用具であり、通常トイレやウォッシュルームを掃除するためのものである。トイレはちり一つないほど清潔であると、細菌、真菌、黴菌及び他の細菌の増殖を効果的に抑制できる。しかし、現在市販されている通常のトイレブラシは、直棒にブラシヘッドが付いていることが多く、非常に使用しにくく、使用ニーズを満足させにくく、使用上の不都合が生じやすいので、便利で使用しやすい電動トイレブラシの設計は当業者が解決を強く要望している問題である。
【考案の概要】
【０００３】
上記技術的課題を解決するために、本考案は以下の技術的手段を提供する。順に連結される取手と、延長棒と、変形連結部と、マシンヘッドと、ブラシヘッドとを備える電動トイレブラシであって、前記マシンヘッドが取付ハウジングと、モータブラケットと、モータと、遊星減速ギヤボックスと、軸受けとを備え、前記取付ハウジングがラッパ状の中空ケーシングであり、その小開口端が変形連結部に連結され、その大開口端の開口部にモータブラケットが取り付けられており、前記モータブラケットにおける取付ハウジングに対向する一側にモータが設けられており、他方側にモータに連結される遊星減速ギヤボックスが設けられており、前記モータブラケットにおける取付ハウジングに連結される一端に防水オーリングが設けられており、他端がマシンヘッドの外側に位置し軸受けが連結されており、前記ブラシヘッドが脱着可能に軸受けの外部に係止され、遊星減速ギヤボックスがブラシヘッドに包まれている電動トイレブラシ。
【０００４】
改善としては、前記遊星減速ギヤボックスの出力端がブラシヘッド連結部材に連結され、前記ブラシヘッド連結部材がブラシヘッドに挿入されブラシヘッドに連結される。
【０００５】
改善としては、前記遊星減速ギヤボックスが、減速ギヤボックスのハウジング、及び減速ギヤボックスのハウジング内に設けられる第２の遊星ギア、第２の遊星枠、遊星枠固定部材、第１の遊星ギア、第１の遊星枠、出力軸を備え、前記出力軸が減速ギヤボックスのハウジングを挿通しブラシヘッド連結部材に連結される。
【０００６】
改善としては、前記第２の遊星ギアが第２の遊星枠、遊星固定枠を介して第１の遊星ギアと噛み合い、前記第１の遊星ギアが第１の遊星枠を介して出力軸と伝動連結され、前記第１の遊星ギア、第２の遊星ギアが何れも３つの互いに噛み合うギアであり、かつ何れもギア取付軸を介して、それぞれ第１の遊星枠、第２の遊星枠に嵌合し取り付けられ、第２の遊星枠の下部に第１の遊星ギアと噛み合い伝動する伝動ギア軸が設けられており、遊星枠固定部材の下部に第１の遊星ギアに嵌合されるギア取付部材が設けられている。
【０００７】
改善としては、前記モータブラケットが、遊星減速ギヤボックスの外部に嵌設されるサポートリングと、取付ハウジングの大端側の開口部に取り付けられるサポート板とを備え、前記サポートリングが貫通してサポート板の中部に設けられ、前記軸受けがサポートリングの外壁に設けられ、前記サポート板の外縁にブラシヘッドに照射できる複数のＵＶ殺菌灯が設けられている。
【０００８】
改善としては、前記変形連結部が、連結延長棒と、マシンヘッドの変形部材と、変形部材の外部に設けられる軟質ゴムカバーとを備える。
【０００９】
改善としては、前記軟質ゴムカバーの両端に延長カバーが設けられており、前記延長カバーが、それぞれ延長棒、マシンヘッドの端部内に包まれる。
【００１０】
改善としては、前記延長棒が伸縮棒又は固定直棒であり、前記取手の外部に電源ボタンが設けられており、内部にリチウム電池が設けられており、前記リチウム電池がモータ、ＵＶ殺菌灯、電源ボタンと回路を構成する。
【００１１】
以上の構造を用いることで、本考案は下記のようなメリットを有する。本装置は、延長棒とマシンヘッドとの間に変形部材が取り付けられており、使用時にマシンヘッドが変形部材によって付勢されて３６０度変形し死角なく掃除することができ、脱着可能なブラシヘッドが軸受けと嵌合されることで、ブラシヘッドは減速ギヤボックス全体を包み、オンにした後モータが減速ギヤボックスを動かして回転させ、減速ギヤボックスが脱着可能なブラシヘッドを動かして回転させ、ＵＶ付き殺菌灯の電源を入れた後点灯し直接ブラシヘッドに照射し殺菌の役割を果たすことができる。本装置は構造が合理で、使用しやすく、広く活用するのに好適である。
【図面の簡単な説明】
【００１２】
【図１】本考案に係る電動トイレブラシの概略的分解図である。
【図２】本考案に係る電動トイレブラシにおけるブラシヘッドの概略的接続図である。
【図３】本考案に係る電動トイレブラシの概略的外部構造図である。
【図４】本考案に係る電動トイレブラシにおけるブラシヘッドが変形する場合の概略構成図である。
【図５】本考案に係る電動トイレブラシにおけるモータブラケットの概略構成図である。
【図６】本考案に係る電動トイレブラシにおける遊星減速ギヤボックスの概略構成図である。
【考案を実施するための形態】
【００１３】
添付図面を参照する。順に連結される取手１と、延長棒２と、変形連結部３と、マシンヘッド４と、ブラシヘッド５とを備える電動トイレブラシであって、前記マシンヘッド４が取付ハウジング６と、モータブラケット７と、モータ８と、遊星減速ギヤボックス９と、軸受け１０とを備え、前記取付ハウジング６がラッパ状の中空ケーシングであり、その小開口端が変形連結部３に連結され、その大開口端の開口部にモータブラケット７が取り付けられており、前記モータブラケット７における取付ハウジング６に対向する一側にモータ８が設けられており、他方側にモータ８に連結される遊星減速ギヤボックス９が設けられており、前記モータブラケット７における取付ハウジング６に連結される一端に防水オーリング１１が設けられており、他端がブラシヘッド５の外側に位置し軸受け１０が連結されており、前記ブラシヘッド５が脱着可能に軸受け１０の外部に係止され、遊星減速ギヤボックス９がブラシヘッド５に包まれる電動トイレブラシ。
【００１４】
本実施例の好ましい実施形態としては、前記遊星減速ギヤボックス９の出力端がブラシヘッド連結部材１２に連結され、前記ブラシヘッド連結部材１２がブラシヘッド５に挿入されブラシヘッド５に連結される。
【００１５】
本実施例の好ましい実施形態としては、前記遊星減速ギヤボックス９が、減速ギヤボックスのハウジング９．１、及び減速ギヤボックスのハウジング９．１内に設けられる第２の遊星ギア９．２、第２の遊星枠９．３、遊星枠固定部材９．４、第１の遊星ギア９．５、第１の遊星枠９．６、出力軸９．７を備え、前記出力軸９．７が減速ギヤボックスのハウジング９．１を挿通しブラシヘッド連結部材１２に連結される。
【００１６】
本実施例の好ましい実施形態としては、前記第２の遊星ギア９．２が第２の遊星枠９．３、遊星固定枠９．４を介して第１の遊星ギア９．５と噛み合い、前記第１の遊星ギア９．５が第１の遊星枠９．６を介して出力軸９．７と伝動連結され、前記第１の遊星ギア９．５、第２の遊星ギア９．２が何れも３つの互いに噛み合うギアであり、かつ何れもギア取付軸９．８を介して、それぞれ第１の遊星枠９．６、第２の遊星枠９．３に嵌合し取り付けられ、第２の遊星枠９．３の下部に第１の遊星ギア９．５と噛み合い伝動する伝動ギア軸９．９が設けられており、遊星枠固定部材９．４の下部に第１の遊星ギア９．５に嵌合されるギア取付部材９．１０が設けられている。
【００１７】
本実施例の好ましい実施形態としては、前記モータブラケット７が、遊星減速ギヤボックス９の外部に嵌設されるサポートリング７．１と、取付ハウジング６の大端側の開口部に取り付けられるサポート板７．２とを備え、前記サポートリング７．１が貫通してサポート板７．２の中部に設けられ、前記軸受け１０がサポートリング７．１の外壁に設けられ、前記サポート板７．２の外縁にブラシヘッド５に照射できる複数のＵＶ殺菌灯１３が設けられている。
【００１８】
本実施例の好ましい実施形態としては、前記変形連結部３が、連結延長棒２と、マシンヘッド４の変形部材３．１と、変形部材３．１の外部に設けられる軟質ゴムカバー３．２とを備える。
【００１９】
本実施例の好ましい実施形態としては、前記軟質ゴムカバー３．２の両端に延長カバー３．３が設けられており、前記延長カバー３．３が、それぞれ延長棒２、マシンヘッド４の端部内に包まれる。
【００２０】
本実施例の好ましい実施形態としては、前記延長棒２が伸縮棒又は固定直棒であり、前記取手１の外部に電源ボタン１４が設けられており、内部にリチウム電池が設けられており、前記リチウム電池がモータ８、ＵＶ殺菌灯１３、電源ボタン１４と回路を構成する。
【００２１】
本考案は、具体的に実施される場合、取手にリチウム電池、制御板が配置されており、延長棒とマシンヘッドとの間に変形部材が取り付けられており、使用時にマシンヘッドが３６０度変形し死角なく掃除することができ、遊星減速ギヤボックスが減速ギヤボックスのハウジング内に取り付けられ、モータブラケットに軸受けが取り付けられており、ブラシヘッド連結部材が出力軸に連結され、脱着可能なブラシヘッドが取り付けられて軸受けに嵌合されることで、ブラシヘッドは減速ギヤボックス全体を包む。電源ボタンを押すと、モータが減速ギヤボックスを動かして回転させ、減速ギヤボックスが脱着可能なブラシヘッドを動かして回転させ、ＵＶ付き殺菌灯の電源を入れた後点灯し直接ブラシヘッドに照射し殺菌の役割を果たすことができる。ブラシヘッドは係合されることで軸受けと脱着可能に連結され、ブラシヘッドとモータとの間は、ブラシヘッド連結部材を介してブラシヘッドに差し込まれ、ブラシヘッド前端に連結され、及び後端が軸受けに連結されて、バランスよく安定して運転することを実現する。
【００２２】
以上に本考案及びその実施の態様を説明したが、この説明は制限性を有せず、添付図面示されるのも本考案の実施の態様の一つに過ぎず、実際の構造がこれに制限されるものではない。つまり、当業者がその示唆を受け、本考案の創造の趣旨を逸脱することなく、創造性なしに設計された当該技術的手段と同様な構造方式及び実施例は、全て本考案の保護範囲に属すべきである。
【符号の説明】
【００２３】
１    取手
２    延長棒
３    変形連結部
３．１    変形部材
３．２    軟質ゴムカバー
３．３    延長カバー
４    マシンヘッド
５    ブラシヘッド
６    取付ハウジング
７    モータブラケット
７．１    サポートリング
７．２    サポート板
８    モータ
９    遊星減速ギヤボックス
９．１    減速ギヤボックスのハウジング
９．２    第２の遊星ギア
９．３    第２の遊星枠
９．４    遊星枠固定部材
９．５    第１の遊星ギア
９．６    第１の遊星枠
９．７    出力軸
９．８    ギア取付軸
９．９    伝動ギア軸
９．１０    ギア取付部材
１０    軸受け
１１    防水オーリング
１２    ブラシヘッド連結部材
１３    ＵＶ殺菌灯
１４    電源ボタン
【図１】
0003227123.tif 000003
【図２】
0003227123.tif 000004
【図３】
0003227123.tif 000005
【図４】
0003227123.tif 000006
【図５】
0003227123.tif 000007
【図６】
0003227123.tif 000008